(57)【要約】      （修正有）【課題】ケーブル固定ヘッド及び締め具の構造を提供する。【解決手段】クランプリング爪１１はリング状の中空本体であり、伸びた数本の爪１１１を有し、爪の先端は内側に向けて定置ブロック１１１１を設ける。クランプリング１２は中空のパイプであり、一端にリング状の縁１２０及び円錐部１２１を設け、円錐部とは縁の端部の延伸上にあり、クランプリングの別端周りに凹槽１２２を設ける。クランプリング爪をクランプリングの嵌合し、定置ブロックを凹槽と嵌合し、クランプリング爪の片端及び前述の縁をストッパーを形成すると同時に、定置ブロックが凹槽に挿入した後、クランプリング爪により変位しにくく、外れる問題を解決し、外力に対応する能力がアップする。本考案を利用し、ケーブルを固定ヘッドの中に固定する際、通したケーブルに非破壊的なダブルボンド固定及び防水の役割を果たす。【選択図】図４
0003140771.tif 000002
【実用新案登録請求の範囲】
【請求項１】
クランプリング爪、クランプリングを含み、
クランプリング爪はリング状の中空本体であり、伸びた数本の爪を具有し、爪の先端は内側に向けて定置ブロックを設け、
クランプリングは中空のパイプであり、一端にリング状の縁及び円錐部を設け、円錐部とは縁の端部の延伸上にあり、クランプリングの別端周りに凹槽を設け、
クランプリング爪をクランプリングに嵌め、定置ブロックを前述の凹槽に設置し、クランプリング爪の一端と縁がストッパーの役割を果たすことを特徴とするケーブル固定ヘッドの締め具の構造。
【請求項２】
前記クランプリングは縦方向に開口ラインを設けることを特徴とする請求項1記載のケーブル固定ヘッドの締め具の構造。
【請求項３】
蓋、穴、斜面及び内側ねじ山、クランプリング爪、クランプリング、防水リングを含み、
クランプリング爪はリング状の中空本体であり、伸びた数本の爪を具有し、爪の先端は内側に向けて定置ブロックを設け、
クランプリングは中空のパイプであり、一端にリング状の縁及び円錐部を設け、円錐部とは縁の端部の延伸上にあり、クランプリングの別端周りに凹槽を設け、クランプリングは前記のクランプリング爪の中に設け、
防水リングは中空のパイプであり、第一ねじ山、第二ねじ山、斜面及びストッパーブロックを含み、ストッパーブロックは第一ねじ山及び第二ねじ山の間に位置し、防水リングの斜面は中空柱体の内側周りに設け、
クランプリング爪をクランプリングに嵌め、定置ブロックを前述の凹槽に設置し、クランプリング爪の一端と縁がストッパーの役割を果たし、クランプリング及びクランプリング爪は防水リングの内側に嵌め、ケーブルを挟む役割であり、蓋本体内の斜面と相対的に寄り添い、蓋を防水リングの第一ねじ山に螺合し、防水リングの斜面がクランプリングの円錐部にあてがうことを特徴とするケーブル固定ヘッドの構造。
【請求項４】
前記クランプリングは縦方向に開口ラインを設けることを特徴とする請求項3記載のケーブル固定ヘッドの締め具の構造。
【請求項５】
前記クランプリング爪の爪の先端に斜面を設け、前記蓋の斜面と対応することを特徴とする請求項3記載のケーブル固定ヘッドの構造。
【請求項６】
第一蓋、第二蓋、第一クランプリング爪、第一クランプリング、防水リング、定置リング、接続リング、第二クランプリング爪、第二クランプリングを含み
第一蓋は穴、斜面及び内側ねじ山を含み、
第二蓋は穴、斜面及び内側ねじ山を含み、
第一クランプリング爪はリング状の中空本体であり、伸びた数本の爪を具有し、爪の先端は内側に向けて定置ブロックを設け、
クランプリングは中空のパイプであり、一端にリング状の縁及び円錐部を設け、円錐部とは縁の端部の延伸上にあり、クランプリングの別端周りに凹槽を設け、クランプリングは前記のクランプリング爪の中に設け、定置ブロックを前述の凹槽に設置し、クランプリング爪の一端と縁がストッパーの役割を果たし、
防水リングは中空のパイプであり、第一ねじ山、第二ねじ山、斜面及びストッパーブロックを含み、ストッパーブロックは第一ねじ山及び第二ねじ山の間に位置し、斜面は中空柱体の内側周りに設け、第一蓋は第一ねじ山に螺合し、防水リングの斜面はクランプリングの円錐部にあてがい、
定置リングは中空の柱体であり、内壁、外壁を含み、内壁に内側ねじ山を設け、内壁と外壁の間に定置槽を具有し、内ねじ山は上述の防水リングの第二ねじ山と螺合し、
接続リングは中空柱体であり、片端の周りに定置ブロックを設け、別端に外側ねじ山を設け、中空柱体の中に内側ねじ山及び斜面を設け、内側ねじ山は防水リングの第二ねじ山と螺合し、定置ブロックは上述の定置槽に挿入し、斜面は中空柱体の内側に設け、外側ねじ山は第二蓋にある内側ねじ山と螺合し、
第二クランプリング爪はリング状の中空本体であり、伸びた数本の爪を具有し、爪の先端は内側に向けて定置ブロックを設け、
第二クランプリングは中空のパイプであり、一端にリング状の縁及び円錐部を設け、円錐部とは縁の端部の延伸上にあり、別端周りに凹槽を設け、クランプリングは前記のクランプリング爪の中に設け、
前記第一第二クランプリング及びクランプリング爪は防水リング及び接続リングの中に嵌合することを特徴とするケーブル固定ヘッドの構造。
【請求項７】
前記防水リングと定置リングの間にプレートを設け、該プレートに穴を具有し、防水リングの第二ねじ山を該穴を通すことを特徴とする請求項6記載のケーブル固定ヘッドの構造。
【請求項８】
前述防水リングのストッパーブロックとプレートの間にプラスティックワッシャーを設け、該プラスティックワッシャーは少なくとも一つの防水縁を具有し、防水縁はプラスティックワッシャーの軸方向の周りに設けることを特徴とする請求項7記載のケーブル固定ヘッドの構造。
【請求項９】
前記クランプリングは縦方向に開口ラインを設けることを特徴とする請求項6記載のケーブル固定ヘッドの締め具の構造。
【請求項１０】
前記クランプリング爪の爪の先端に斜面を設けることを特徴とする請求項6記載のケーブル固定ヘッドの構造。
【考案の詳細な説明】
【技術分野】
【０００１】
本考案はケーブルの固定ヘッド及び該締め具の構造に関し、特にケーブルの外側に設置し、該固定ヘッドと合わせてケーブルの位置を固定し、ケーブルの接続ポイントの保護及び防水機能を具有するケーブル固定ヘッド及び該締め具の構造に関する。
【背景技術】
【０００２】
信号を送信するのにケーブル及び光ファイバーが通る固定拠点及び二本のケーブルの接続箇所の接続方法に注意すべきである。例えばオートメーション化機械の上で往復移動する装置も、ケーブルを通じて信号を送るが、ケーブルも各装置に従って移動する必要がある。よって、ケーブルの接続ポイントはかなり損耗し、壊れやすくなる。
【０００３】
現有のケーブル固定ヘッドは防水及び、ボンド力をケーブル或いは光ファイバーに均等に分散する多重の機能を持ち合わせていないゆえ、ケーブルや光りファイバーは往々にして外力或いは反復する引張力を受けると、接続ポイントが外れる或いは断裂する事態が起こりやすい。特に光ファイバーは光線を反射してデータを送信しているため、材質はガラスが石英など、硬度の高いものを使用しているゆえ、損害断裂しやすい。
【０００４】
公知の実用新案第188944号『ケーブル固定ヘッド』は、ケーブルを接続するものである。本体、ナット、クランプリング爪、クランプリング、圧迫部品を含み、クランプリングはクランプリング爪の中に結合して本体の中に設置する。圧迫部品は本体に螺合し、クランプリング爪及びクランプリングを圧迫することでケーブルを固定している。上述の構造でケーブルの一端を固定しているが、別端は同時に固定していないため、外力により外れやすくなる可能性が残る。更に防水層はクランプリングの凹槽部分のみであり、クランプリング爪でつかむ部分の防水性が弱い。ケーブルの固定ヘッドは、実質上両端の固定及び防水問題は必ず克服しなければならない課題である。現在の地球は人間による破壊で、異常気候が発生し、天災は年々激しくなる一方。将来において、ケーブルや光ファイバー、パイプなど、固定接続のものは、多層の防水機能及び、強靭なボンド構造及び、天候の劇的な変化に対応できるものに改善する必要がある。
【０００５】
更に、上述のクランプリングのケーブル対し、比較的大きい直径のコネクターを挿入すると、阻害が起こり、また、或いは二本のケーブルをコネクターを利用してコネクターヘッドに接続すれば、別端は固定したボンド部分による保護を受けていないため、離脱及び水気が浸入しやすくなるため、改善する必要があった。
【特許文献１】台湾実用新案第188944号明細書
【考案の開示】
【考案が解決しようとする課題】
【０００６】
前記公知構造の欠点を解決するため、本考案はケーブル固定ヘッド及び締め具を設置し、挿入するケーブルを破壊することなく、ダブルの保護固定及び防水機能を具有することを主な課題とする。
【課題を解決するための手段】
【０００７】
前記課題を実現するため、本考案のケーブル固定ヘッドの締め具の特徴は：
クランプリング爪、クランプリング、ケーブル固定ヘッド、蓋、穴、内側ねじ山から構成されている。クランプリング爪はリング状の中空本体であり、伸びた数本の爪を具有し、爪の先端は内側に向けて定置ブロックを設ける。
クランプリングは中空のパイプであり、一端にリング状の縁及び円錐部を設け、円錐部とは縁の端部の延伸上にあり、クランプリングの別端周りに凹槽を設ける。
クランプリング爪をクランプリングに嵌め、定置ブロックを前述の凹槽に設置し、クランプリング爪の一端と縁がストッパーの役割を果たす。
【０００８】
前記課題を実現するため、本考案のケーブル固定ヘッドは更に下記の技術方案を考案した：
蓋、穴、斜面及び内側ねじ山、クランプリング爪、クランプリング、防水リング、ねじ山を含む。
クランプリング爪はリング状の中空本体であり、伸びた数本の爪を具有し、爪の先端は内側に向けて定置ブロックを設ける。
クランプリングは中空のパイプであり、一端にリング状の縁及び円錐部を設け、円錐部とは縁の端部の延伸上にあり、クランプリングの別端周りに凹槽を設ける。クランプリングは前記のクランプリング爪の中に設ける。
防水リングは中空のパイプであり、第一ねじ山、第二ねじ山、斜面及びストッパーブロックを含み、ストッパーブロックは第一ねじ山及び第二ねじ山の間に位置し、防水リングの斜面は中空柱体の内側周りに設けている。
前記クランプリング爪はクランプリングに嵌め、定置ブロックは凹槽に位置し、クランプリング爪の一端と縁がストッパーを形成する。クランプリング及びクランプリング爪は防水リングの内側に嵌め、ケーブルを挟む役割であり、蓋本体内の斜面と相対的に寄り添う。蓋を防水リングの第一ねじ山に螺合し、防水リングの斜面がクランプリングの円錐部に宛がう。
【０００９】
前記課題を実現するため、本考案のケーブル固定ヘッドは更に下記の技術方案を考案している：
第一蓋本体に穴、斜面及び内側ねじ山を含み、
第二蓋本体に穴、斜面及び内側ねじ山を含み、
第一クランプリング爪はリング状の中空本体であり、伸びた数本の爪を具有し、爪の先端は内側に向けて定置ブロックを設ける。
クランプリングは中空のパイプであり、一端にリング状の縁及び円錐部を設け、円錐部とは縁の端部の延伸上にあり、クランプリングの別端周りに凹槽を設ける。クランプリングは前記のクランプリング爪の中に設ける。定置ブロックは凹槽に嵌め、クランプリング爪の片端は縁とストッパーを形成する。
防水リングは中空のパイプであり、第一ねじ山、第二ねじ山、斜面及びストッパーブロックを含み、ストッパーブロックは第一ねじ山及び第二ねじ山の間に位置し、斜面は中空柱体の内側周りに設けている。上述の第一蓋は第一ねじ山に螺合し、防水リングの斜面はクランプリングの円錐部の上にあてがう。
定置リングは中空の柱体であり、内壁、外壁を含み、内壁に内側ねじ山を設け、内壁と外壁の間に定置槽を具有し、内ねじ山は上述の防水リングの第二ねじ山と螺合する。
接続リングは中空柱体であり、片端の周りに定置ブロックを設け、別端に外側ねじ山を設ける。中空柱体の中に内側ねじ山及び斜面を設け、内側ねじ山は防水リングの第二ねじ山と螺合する。定置ブロックは上述の定置槽に挿入する。斜面は中空柱体の内側に設け、外側ねじ山は第二蓋にある内側ねじ山と螺合する。
第二クランプリング爪はリング状の中空本体であり、伸びた数本の爪を具有し、爪の先端は内側に向けて定置ブロックを設ける。
第二クランプリングは中空のパイプであり、一端にリング状の縁及び円錐部を設け、円錐部とは縁の端部の延伸上にあり、別端周りに凹槽を設ける。クランプリングは前記のクランプリング爪の中に設ける。
前述の第一、第二クランプリング及びクランプリング爪は防水リング及び接続リングの中に嵌めている。
【考案の効果】
【００１０】
プラスティック材質を利用して作るクランプリングは、ケーブルに対し、非破壊性のボンド力を具有する。クランプリングは中空のパイプであり、一定の長さを具有するため、ボンド力を受ける面積を均等及び延伸する効果があり、従来技術の接続ヘッド締め具のように、引っ張られると、折れたり破壊したりすることを免れる。ケーブルCがホールドされている状態で、接続ヘッドと結合しやすく、且つケーブルが折れにくく、位置移動しにくい上、天気に左右されることがない。
【考案を実施するための最良の形態】
【００１１】
図１、図２及び図３に示すように、ケーブル固定ヘッドの締め具は、固定ヘッドをケーブルに固定する役割である。締め具はクランプリング爪11及びクランプリング12を含む。クランプリング爪11はリング状の中空本体に、伸びた数本の爪111を具有し、爪の先端に内側に向けて定置ブロック1111を設ける。クランプリング12は中空のパイプであり、一端にリング状の縁及び円錐部121を設け、円錐部121とは縁の端部の延伸上にあり、別端周りに凹槽122を設ける。前記のクランプリング爪11はクランプリング12の上に設け、定置ブロック1111は凹槽122に挿入し、ストッパーの役割を果たす。クランプリング爪のうち直径はクランプリング12の外直径と同じであるため、クランプリング爪11をクランプリングに挿入する際、周囲がしっかりと密着するため、ケーブル固定ヘッドとセットしても、クランプリングが圧迫されるため、定置ブロック1111を凹槽122に挿入した後、クランプリング爪11が位置を変位しにくいため、外れることがない。
【００１２】
図３に示すように、クランプリング12に直径の大きめのコネクターケーブルCを通せるよう、クランプリング12を縦方向に開口ライン123を設けることで、該開口ライン123を両側に開き、ケーブルCをサイド側より押し込むことで、包むことができる。ケーブルC及びコネクターをケーブル固定ヘッドの中に入れることができ、従来技術の、クランプリング12のケーブルコネクターを通せない欠点を解決することができる。
【００１３】
図４に示すように、上述の締め具を使ってケーブルの位置を固定できるケーブル接続ヘッドにすることができる。それに含まれるのは第一蓋20、クランプリング爪11、クランプリング12、防水リング30を含む。第一蓋20は穴21、斜面22及び内側ねじ山23を含み、クランプリング爪11はリング状の中空本体に、伸びた数本の爪111を具有し、爪111の先端に内側に向けて定置ブロック1111を設ける。クランプリング12は中空のパイプであり、一端にリング状の縁120及び円錐部121を設け、円錐部121とは縁120の端部の延伸上にあり、別端周りに凹槽122を設け、クランプリング12はクランプリング爪11の中に入れる。防水リング30は中空のパイプであり、第一ねじ山、第二ねじ山、斜面及びストッパーブロックを含み、ストッパーブロックは第一ねじ山31及び第二ねじ山32、斜面301及びストッパーブロック33を含む。ストッパーブロック33は第一ねじ山31と第二ねじ山32の間に位置し、斜面301は中空柱体の内側周りに設けている。上述の第一蓋20は第一ねじ山31に螺合する。クランプリング爪11及びクランプリング12は防水リング30の内側に位置し、ケーブルを挟むと同時に、第一蓋20内の斜面と相互に嵌合する。且つ上述の第一蓋20の内側ねじ山23は第一ねじ山31と螺合することで、本考案の結合が完了する。
【００１４】
図５が示すように、蓋20を防水リング30の第一ねじ山31と螺合する時、蓋20は徐々に防水リング30との距離が縮まり、クランプリング爪11及びクランプリング12と圧迫状態を形成することで、クランプリング12の第一蓋20の上の斜面22に沿って中央に移動することで、更にケーブルCを締め付けると同時に、クランプリング12の凹槽122は爪1111の力を受け、ケーブルCを押して変形して密合するため、固定及び防水の目的に達する。また、クランプリング12は柱体の形でケーブルCの外を覆うたけ、プラスされてケーブルCに圧迫されている際、全体的なボンド力は均等にケーブルに分布し、非破壊的なボンド固持効果を具有するため、ケーブルCは第一蓋20及び防水リング30の相対位置を簡単に変えにくいため、ケーブルCを守ることができ、外力に抵抗する力がアップするため、外力の引張力により損害することがない。
【００１５】
防水リング30の内側に斜面301を設け、該斜面301の位置はクランプリング12の円錐部121に対応している。第一蓋20を防水リング30の第一ねじ山31に内側に回転することで、クランプリング爪11及びクランプリング12をプレスするとき、クランプリング12を斜面301の方向にに沿って誘導し、緊迫変形を移動させることで、ケーブルCをボンドし、及び二重の防水の目的に達する。また、クランプリング爪11の爪111の先端に斜面1112を設け、第一蓋20の蓋とともに移動する。
【００１６】
図６及び図７に示すように、本考案は更に上述の固定ヘッドの別端に、更にもう一つの固定ヘッドを組合せ、第二実施例のために、二本のケーブル或いはダブルウェイボンドケーブルを接続し、該両者のコネクターを保護する。固定ヘッドは第一蓋20、防水リング30、第一クランプリング爪11、第一クランプリング12、定置リング40、接続リング50、第二クランプリング爪11’、第二クランプリング12、第二蓋60を含む。第二蓋60は穴61、斜面62及び内側ねじ山63を含む。防水リング30は中空のパイプであり、第一ねじ山31、第二ねじ山32、斜面301及びストッパーブロック33を含み、ストッパーブロック33は第一ねじ山31及び第二ねじ山32の間32に位置する。斜面301は中空柱体の内側周りに設けている。上述の第一蓋20は第一ねじ山31に螺合する。第一クランプリング爪11はリング状の中空本体に、伸びた数本の爪111を具有し、爪111の先端に内側に向けて定置ブロック1111を設ける。第一クランプリング12は中空のパイプであり、一端にリング状の縁120及び円錐部121を設け、円錐部121とは縁120の端部の延伸上にあり、別端周りに凹槽122を設け、クランプリング12はクランプリング爪11の中に入れる。第二クランプリング爪11’はリング状の中空本体に、伸びた数本の爪111’を具有し、爪111’の先端に内側に向けて定置ブロック1111’を設ける。第二クランプリング12’は中空のパイプであり、一端にリング状の縁120’及び円錐部121’を設け、円錐部121’とは縁の端部の延伸上にあり、別端周りに凹槽122’を設け、クランプリング12’はクランプリング爪11’の中に入れる。定置リング40は中空の柱体であり、内壁41及び外壁42及び少なくとも一つの防水縁401を含み、該内壁41に内側ねじ山411を設け、内壁41と外壁42の内側に定置槽43を具有し、防水縁401は定置リング40の軸方向の周りに設ける。内ねじ山411は上述の防水リング30の第二ねじ山32と螺合する。接続リング50は中空柱体であり、片端に定置ブロック51を設け、別端に外側ねじ山52を設ける。中空柱体の中に内側ねじ山53及び斜面501を設け、内側ねじ山53は第二ねじ山32と螺合する。定置ブロック51は上述の定置槽43に挿入する。外側ねじ山52は第二蓋60にある内側ねじ山63と螺合する。
【００１７】
二本のケーブルCをそれぞれ第一蓋20、第一クランプリング爪11、第一クランプリング12、第二クランプリング爪11’、第二クランプリング12’、接続リング50、定置リング40にそれぞれ通した後、第二蓋60とともに本考案の中に接続する。本考案を介し、二本のケーブルコネクターをその中に固持する。二本のケーブルCが固持された状態であるため、接続状態のコネクターが分離或いは引張られるにくくなるため、ケーブルCを守る役割を持つ。
【００１８】
防水リング30の内側に斜面301を設け、該斜面301の位置はクランプリング12の円錐部121に対応している。第一蓋20を防水リング30の第一ねじ山31に内側に回転することで、クランプリング爪11及びクランプリング12をプレスするとき、クランプリング12を斜面301の方向に沿って誘導し、緊迫変形を移動させることで、ケーブルCをボンドし、及び二重の防水の目的に達する。
【００１９】
図８に示すように、更に防水リング30と前述定置リング40の間にプレート70を設ける。例えばL字型或いはT字型など(図に未掲載)、様々な形にすることができる。該プレートは穴71を設け、防水リング30の第二ねじ山32を通す。前述の定置リング40の防水縁401とプレート70の接触面は、受力を介し、防水縁401を圧迫することで、防水縁401は適切に圧迫変形する。更にプレート70の表面に防水層を形成し、プレート70を介し、本考案を任意な固定場所に設置し、適切な角度を調整することができるため、固定ヘッドのケーブルCと接続する部分に、彎曲の応力の影響や、破壊を受けるのを避けることができる。更に、防水リング30のストッパーブロック33とプレート70の間にプラスティックワッシャー80を設け、プラスティックワッシャー80は少なくとも防水縁801を含み、前述の穴71より水が滲みるのを防止すると同時に、本考案とプレート70の結合を強化する。
【００２０】
本考案はケーブルCがホールドされた状態の下でも、接続ヘッドと結合しやすく、ケーブルを保護し、折れる或いは破損、変位しにくく、様々な天気状況に適応することができる。
【００２１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００２２】
【図１】本考案のクランプリング及び爪の略図である。
【図２】本考案のクランプリング及び爪の略図である。
【図３】本考案の締め具実施略図である。
【図４】本考案の締め具を接続ヘッドにて結合する結合断面図である。
【図５】本考案の締め具を接続ヘッド及びケーブルにて結合する結合断面図である。
【図６】本考案の締め具を接続ヘッドにて結合する分解断面図である。
【図７】本考案の締め具を接続ヘッドにて結合する結合断面図である。
【図８】本考案をプレイトに結合する応用図である。
【符号の説明】
【００２３】
C  ケーブル
11  第一クランプリング爪
111  爪
1111  定置ブロック
1112  斜面
12  第一クランプリング
120  サークル状の縁
121  円錐部
122  凹槽
123  開口ライン
11’  第二クランプリング爪
111’  爪
1111’  定置ブロック
1112’  斜面
12’  第二クランプリング
120’  サークル状の縁
121’  円錐部
122’  凹槽
123’  開口ライン
20  第一蓋
21  穴
22  斜面
23  内側ねじ山
30  防水リング
301  斜面
31  第一ねじ山
32  第二ねじ山
33  ストッパーブロック
40  定置リング
401  防水縁
41  内壁
411  内側ねじ山
42  外壁
43  定置槽
50  接続リング
501  斜面
51  定置ブロック
52  外側ねじ山
53  内側ねじ山
60  第二蓋
61  穴
62  斜面
63  内側ねじ山
70  プレート
71  穴
80  プラスティックワッシャー
801  防水縁
【図１】
0003140771.tif 000003
【図２】
0003140771.tif 000004
【図３】
0003140771.tif 000005
【図４】
0003140771.tif 000006
【図５】
0003140771.tif 000007
【図６】
0003140771.tif 000008
【図７】
0003140771.tif 000009
【図８】
0003140771.tif 000010